(57)【特許請求の範囲】
【請求項１】
縦軸及び横軸と、肌対向面及びこれに対向する非肌対向面とを有し、
前ウエスト域と、後ウエスト域と、前記前後ウエスト域間において前記縦軸の方向へ延びるクロッチ域と、前記クロッチ域から前記前後方向へ延びる吸収性コアとを有するおむつ本体と、前記前後ウエスト域の両側縁部どうしを互いに連結するファスニングシステムとを含む使い捨て着用物品において、
前記吸収性コアは、前記前ウエスト域において前記横軸の方向へ延びる折曲案内部と、前記折曲案内部が位置する張出部とを有し、前記張出部の剛性が前記吸収性コアのそれ以外の部分の剛性よりも高くなっており、
前記クロッチ域の両側部には、前記縦軸の方向へ延びる複数条の弾性要素が配置された、前記両側部に沿って伸縮可能なサイド弾性域が形成されており、
前記サイド弾性域は、前記張出部の両側において前記折曲案内部の後端縁近傍から前記後ウエスト域へ向かって延びる低弾性部と、前記低弾性部からさらに前記後ウエスト域へ向かって延びる高弾性部とを有し、前記低弾性部の収縮率が前記高弾性部の収縮率よりも低いことを特徴とする前記着用物品。
【請求項２】
前記折曲案内部を前記クロッチ域の非肌対向面又は肌対向面に向かって折り曲げることによって形成される折曲ラインが、前記横軸とほぼ並行するように直状に延びている請求項１記載の着用物品。
【請求項３】
前記サイド弾性域には、前記クロッチ域において前記縦軸の方向へ延びる複数条の第１弾性要素と、前記第１弾性要素と並行して前記縦軸の方向へ延びる複数条の第２弾性要素とが配置されており、前記低弾性部には、前記第１及び第２弾性要素のうちの前記第１弾性要素のみが配置されている請求項１又は２に記載の着用物品。
【請求項４】
前記弾性要素のうちの前記前ウエスト域側に位置する部分にエンボス加工部を前記縦軸方向において間欠的に設けることによって前記低弾性部が形成されている請求項１〜３のいずれかに記載の着用物品。
【請求項５】
前記弾性要素のうちの前記前ウエスト域側に位置する部分に面状に接着剤が塗布されてなる固定部を設けることによって前記低弾性部が形成されている請求項１〜４のいずれかに記載の着用物品。
【請求項６】
前記ファスニングシステムが、前記後ウエスト域の両側縁から前記横軸の方向へ延びる一対のテープファスナタブの前記肌対向面に設けられた第１ファスニング要素と、前記前ウエスト域の前記非肌対向面側に位置する第２ファスニング要素とから構成された第１ファスニングシステムと、前記一対の第１ファスニング要素と前記前ウエスト域の前記肌対向面に位置する第３ファスニング要素とを有する第２ファスニングシステムとから構成されている請求項１〜５のいずれかに記載の着用物品。
【請求項７】
前記ファスニングシステムが、前記後ウエスト域の両側縁から前記横軸の方向へ延びる一対のテープファスナタブの前記肌対向面に設けられた第１ファスニング要素と、前記前ウエスト域の前記非肌対向面側に位置する第２ファスニング要素とから構成された第１ファスニングシステムと、前記一対の第１ファスニング要素と前記前ウエスト域の前記非肌対向面において、前記第２ファスニング要素の下方に位置する第３ファスニング要素とを有する第２ファスニングシステムとから構成されている請求項１〜６のいずれかに記載の着用物品。
【請求項８】
前記サイド弾性域において、前記低弾性部の収縮率は約７０〜７５％、前記高弾性部の収縮率は、約５０〜６０％である請求項１〜７のいずれかに記載の着用物品。
【発明の詳細な説明】
【技術分野】
【０００１】
本発明は、使い捨て着用物品に関し、より詳しくは、主として新生児を対象とする開放型の使い捨ておむつ、使い捨てのトイレット・トレニングパンツ、使い捨て失禁パンツ、使い捨ての生理用パンツ等の開放型の使い捨て着用物品に関する。
【背景技術】
【０００２】
従来、新生児を対象とする使い捨て着用物品は公知である。例えば、特許文献１には、透液性の表面シートと、不透液性の裏面シートと、表裏面シート間に介在された吸液性コアと、ウエスト回り方向へ延びる一対の着用バンドと、クロッチ域の両側部から前後ウエスト域に延びる複数条の弾性部材とを含む使い捨ておむつが開示されている。
【先行技術文献】
【特許文献】
【０００３】
【特許文献１】特許３３４３１９９号公報
【発明の概要】
【発明が解決しようとする課題】
【０００４】
特許文献１に開示された使い捨ておむつは、おむつ本体の前端部における所定部位において、吸液性コアが隣接する部位よりも薄くまたは吸収液性コアが存在していないことによって形成された、おむつの横方向へ延びる折曲案内部を有する。
【０００５】
折曲案内部及び着用バンドの上縁部に沿っておむつ本体の前端部を外側に折り返すことによって、着用者である新生児のへそを露出することができ、その腹式呼吸を妨げることはない。また、前記前端部の外面に位置する止着手段によって、該折り返し部位をおむつ本体に固定することができるので、新生児のへそを確実に露出することができる。さらに、ウエスト域の両側部から前後ウエスト域へ延びる複数条の弾性部材によって、該領域を着用者の脚周りにフィットさせることができる。
【０００６】
しかし、着用バンドによる止着の後に、折曲案内部及び着用バンドの上縁部に沿っておむつ本体の前端部を外側に向かって折り曲げるので、へそが折曲案内部の近傍又はその下方に位置している場合には、着用バンドの止着を外しておむつの位置を調整する必要がある。また、外側に折り曲げられた部位の捲れを防止するために、着用バンドの他に該折曲部位を止着するための手段を要し、止着操作が手間である。さらに、着用バンドを止着する際に、折曲部位の近傍まで延出する複数条の弾性部材の収縮力によって、前ウエスト域における折曲部位から下方の領域及びクロッチ域全体が下方へ、すなわち、後ウエスト域へ向かって引っ張られて折曲部位が湾曲状を有するので、装着位置がずれ、おむつ本体の脚開口縁部が着用者の脚部に十分にフィットしない状態で装着されるおそれがある。
【０００７】
本発明の課題は、従来の発明の改良であって、比較的に簡易な操作により、おむつ本体の前ウエスト域を確実に外側に折り曲げて着用者の身体にフィットさせることができるとともに、着用時において折曲部位が湾曲することのない使い捨ておむつの提供にある。
【課題を解決するための手段】
【０００８】
前記課題を解決するために、本発明が対象とするのは、縦軸及び横軸と、肌対向面及びこれに対向する非肌対向面とを有し、前ウエスト域と、後ウエスト域と、前記前後ウエスト域間において前記縦軸の方向へ延びるクロッチ域と、前記クロッチ域から前記前後方向へ延びる吸収性コアとを有するおむつ本体と、前記前後ウエスト域の両側縁部どうしを互いに連結するファスニングシステムとを含む使い捨て着用物品である。
【０００９】
本発明の特徴とするところは、前記吸収性コアは、前記前ウエスト域において前記横軸の方向へ延びる折曲案内部と、前記折曲案内部が位置する張出部とを有し、前記張出部の剛性が前記吸収性コアのそれ以外の部分の剛性よりも高くなっており、前記クロッチ域の両側部には、前記縦軸の方向へ延びる複数条の弾性要素が配置された、前記両側部に沿って伸縮可能なサイド弾性域が形成されており、前記サイド弾性域は、前記張出部の両側において前記折曲案内部の後端縁近傍から前記後ウエスト域へ向かって延びる低弾性部と、前記低弾性部からさらに前記後ウエスト域へ向かって延びる高弾性部とを有し、前記低弾性部の収縮率が前記高弾性部の収縮率よりも低いことにある。
【００１０】
本発明の実施態様の一つとして、前記折曲案内部を前記クロッチ域の非肌対向面又は肌対向面に向かって折り曲げることによって形成される折曲ラインが、前記横軸とほぼ並行するように直状に延びている。
【００１１】
本発明の他の実施態様の一つとして、前記サイド弾性域には、前記クロッチ域において前記縦軸の方向へ延びる複数条の第１弾性要素と、前記第１弾性要素と並行して前記縦軸の方向へ延びる複数条の第２弾性要素とが配置されており、前記低弾性部には、前記第１及び第２弾性要素のうちの前記第１弾性要素のみが配置されている。
【００１３】
本発明の他の実施態様の一つとして、前記弾性要素のうちの前記前ウエスト域側に位置する部分にエンボス加工部を前記縦軸方向において間欠的に設けることによって前記低弾性部が形成されている。
【００１４】
本発明の他の実施態様の一つとして、前記弾性要素のうちの前記前ウエスト域側に位置する部分に面状に接着剤が塗布されてなる固定部を設けることによって前記低弾性部が形成されている。
【００１５】
本発明の他の実施態様の一つとして、前記ファスニングシステムが、前記後ウエスト域の両側縁から前記横軸の方向へ延びる一対のテープファスナタブの前記肌対向面に設けられた第１ファスニング要素と、前記前ウエスト域の前記非肌対向面側に位置する第２ファスニング要素とから構成された第１ファスニングシステムと、前記一対の第１ファスニング要素と前記前ウエスト域の前記肌対向面に位置する第３ファスニング要素とを有する第２ファスニングシステムとから構成されている。
【００１６】
本発明の他の実施態様の一つとして、前記ファスニングシステムが、前記後ウエスト域の両側縁から前記横軸の方向へ延びる一対のテープファスナタブの前記肌対向面に設けられた第１ファスニング要素と、前記前ウエスト域の前記非肌対向面側に位置する第２ファスニング要素とから構成された第１ファスニングシステムと、前記一対の第１ファスニング要素と前記前ウエスト域の前記非肌対向面において、前記第２ファスニング要素の下方に位置する第３ファスニング要素とを有する第２ファスニングシステムとから構成されている。
【００１７】
本発明の他の実施態様の一つとして、前記サイド弾性域において、前記低弾性部の収縮率は約７０〜７５％、前記低弾性部以外の部分から形成された高弾性部の収縮率は、約５０〜６０％である。
【発明の効果】
【００１８】
本発明によれば、おむつ本体の両側部のサイド弾性域において、折曲案内部の後端縁近傍から前記横軸に向かって延びる、他の部位に比して収縮率の低い低弾性部が形成されている。それにより、おむつの装着時において、折曲案内部に沿って形成される折曲部位が湾曲せず直状を呈することから、おむつ本体の装着位置がずれることはなく、比較的容易に位置合わせをした状態でおむつを装着することができる。
【図面の簡単な説明】
【００１９】
【図１】本発明の第１実施形態における使い捨て着用物品の一例としての使い捨ておむつの斜視図。
【図２】おむつを前後方向に伸展した状態のその内面から見た一部破断展開平面図。
【図３】図１のＩＩＩ−ＩＩＩ線断面図。
【図４】おむつの他の着用状態における斜視図。
【図５】おむつの一部を折曲した状態における図２と同様の一部破断展開平面図。
【図６】おむつを着用させる際の様子を示す斜視図。
【図７】本発明の第２実施形態における図２と同様の展開平面図。
【図８】本発明の第３実施形態における図２と同様の展開平面図。
【図９】本発明の第４実施形態における図２と同様の展開平面図。
【図１０】本発明の第５実施形態におけるおむつの斜視図。
【図１１】本発明の第５実施形態におけるおむつの斜視図。
【図１２】本発明の第５実施形態におけるおむつの図２と同様の展開平面図。
【発明を実施するための形態】
【００２０】
＜第１実施形態＞
図１及び２に示すとおり、おむつ１０は、縦軸Ｐ及び横軸Ｑを有し、肌当接面側及びそれに対向する非肌当接面側と、前ウエスト域１１と、後ウエスト域１２と、前後ウエスト域１１，１２間に位置するクロッチ域１３を備えるおむつ本体１４と、おむつ本体１４の後ウエスト域１２の両側縁１２ａ，１２ｂから横軸Ｑの方向の外方へ延びる一対のテープファスナタブ１５，１６とを含む。テープファスナタブ１５，１６の肌対向面には、メカニカルファスナのフック群から形成された第１ファスニング要素１７が配置されている。また、前ウエスト域１１の外面には、テープファスナタブ１５，１６の第１ファスニング要素１７を脱離可能に止着するための、横軸Ｑの方向へ延びるメカ二カルファスナのループ群から形成された第２ファスニング要素１８がホットメルト接着剤（図示せず）を介して取り付けられている。
【００２１】
図１〜４に示すとおり、おむつ本体１４は、繊維不織布、多孔プラスチックフィルム、それらのラミネートシート等から形成され、肌当接面側に位置する透液性のトップシート２０と、おむつ１０の外形をなし、透湿性プラスチックフィルム、繊維不織布、それらのラミネートシート等から形成され、非肌当接面側に位置する不透液性のバックシート２１と、フラップパルプと超吸収性ポリマー粒子との混合等から形成され、トップシート２０とバックシート２１との間に介在された吸収性コア２２とを含む。トップシート２０とバックシート２１とは、吸収性コア２２の周縁部から延出しており、該延出部位における両シート２０，２１のうちの少なくともいずれか一方の内面に塗布されたホットメルト接着剤（図示せず）を介して互いに接合されている。また、吸収性コア２２は、図示していないが、ティッシュペーパ等の拡散シートによって被包されていてもよい。
【００２２】
トップシート２０は、質量が１５〜５０ｇ／ｍ２、好ましくは、２０〜３５ｇ／ｍ２、繊維密度が０．０１〜０．０４ｇ／ｃｍ３、好ましくは、０．０２５〜０．０３５ｇ／ｃｍ３の範囲である、エアスルー繊維不織布やスパンボンド繊維不織布から形成されている。また、バックシート２１は、質量が１０〜４０ｇ／ｍ２、好ましくは、１５〜３０ｇ／ｍ２、繊維密度が０．０６〜０．１ｇ／ｃｍ３、好ましくは、０．０７〜０．０９ｇ／ｃｍ３の範囲である、スパンボンド不織布などから形成されている。
【００２３】
吸収性コア２２は、前後端縁２２ａ，２２ｂと、それらの間において縦軸Ｐの方向へ延びる両側縁２２ｃ，２２ｄとを有する。また、吸収性コア２２には、前ウエスト域１１において横軸Ｑの方向へ延びる折曲案内部２４が形成されている。折曲案内部２４は、吸収性コア２２を他の部位に比して薄くすることによって形成された凹状溝である。吸収性コア２２に折曲案内部２４が形成されていることから、後記するように、折曲案内部２４を介して前ウエスト域１１を外側に折り曲げることができる。
【００２４】
折曲案内部２４は、縦軸Ｐの方向において所要寸法の幅を有する凹状溝であって、その前側縁２４ａと後側縁２４ｂとの離間寸法、すなわち、縦軸Ｐの方向における長さ寸法Ｌ１は、後記の本発明の効果を有するために、好ましくは、１．０〜１５．０ｍｍ、さらに好ましくは、５．０〜１０．０ｍｍである。折曲案内部２４は、おむつ本体１４の外面に位置する第２ファスニング要素１８の下側縁１８ａと重なる位置に形成されており、おむつ本体１４の外面における折曲案内部２４に対応する部位、すなわち、第２ファスニング要素１８の下側縁１８ａ上及びその近傍には、おむつ１０の外面視において折曲案内部２４の位置を確認することのできる折曲案内線２５が形成されている。折曲案内線２５は、着用者及び着用補助者が折曲案内部２４の位置を容易に視認できるように、第２ファスニング要素１８とは異なる色彩を施すことによって形成してもよいし、テープ片を貼付することによって形成してもよい。
【００２５】
なお、図３に示すとおり、折曲案内部２４は、吸収性コア２２の肌当接面を凹状にすることによって形成した凹状溝であるが、吸収性コア２２の非肌当接面を凹状にして形成してもよい。また、折曲案内部２４は吸収性コア２２の一部を取り除くことによって形成してもよいし、該部位において吸収性コア２２を圧縮変形させることによって形成してもよい。さらに、折曲案内部２４において、吸収性コア２２の厚さを他の部位と同じ厚さにして、その密度を他の部位に比して低くすることによって形成してもよい。
【００２６】
トップシート２０とバックシート２１との間には、不透液性かつ透湿性のプラスチックフィルムから形成された防漏シート２６が配置されており、両シート２０，２１のうちのいずれか一方の内面に塗布されたホットメルト接着剤（図示せず）を介して固定されている。また、おむつ１０の肌対向面における吸収性コア２２の横方向Ｘの外方には、縦軸Ｐに関して対称の一対のバリアシート２７が取り付けられている。
【００２７】
おむつ本体１４は、縦軸Ｐの方向に対向して横軸Ｑの方向へ延びる前後端部２８，２９と、横軸Ｑの方向に対向して、クロッチ域１３において縦軸Ｐの方向へ延びる両側部３０，３１とをさらに含む。おむつ１０の着用時において、一対のテープファスナタブ１５，１６の第１ファスニング要素１７と前ウエスト域１１の外面に位置する第２ファスニング要素１８とを係合することによって、ウエスト開口３３及び一対のレッグ開口３４とが画成されている（図１参照）。
【００２８】
前後端部２８，２９は、吸収性コア２２の前後端縁から縦軸Ｐの方向の外方へ延出する、トップシート２０と、防漏シート２６と、バックシート２１及びバリアシート２７とが互いに重ね合わされることによって形成されている。また、両側部３０，３１は、吸収性コア２２の両側縁から横軸Ｑの方向の外方へ延出する、トップシート２０と、防漏シート２６と、バックシート２１及びバリアシート２７とが互いに重ね合わされることによって形成されている。また、バックシート２１とバリアシート２７とは、前後ウエスト域１１，１２において、両側部３０，３１を形成するトップシート２０と防漏シート２６との両側縁からさらに横軸Ｑの方向の外方へ延出して互いに重なり合い、前後方側部フラップ３５，３６が形成されている。後方側部フラップ３６を形成するバックシート２１とバリアシート２７との両側縁部間には、一対のテープファスナタブ１５，１６の固定部１５ａ，１６ａが介在されており、両シート２１，２７の内面に塗布されたホットメルト接着剤（図示せず）を介して固定されている。また、後方側部フラップ３６の側縁（後ウエスト域１２の側縁１２ａ，１２ｂ）から横軸Ｑの方向の外方へ延びるテープファスナタブ１５，１６の自由部１５ｂ，１６ｂには、第１ファスニング要素１７が設けられている。
【００２９】
バリアシート２７は、両側部３０，３１の一部を形成する近位縁部３７と、前後ウエスト域１１，１２においてトップシート２０及びバックシート２１の肌対向面に固定された前後固定端部３８，３９と、前後固定端部３８，３９間において縦軸Ｐの方向へ延びる、バリアシート２７の内側縁を内方へ折り返すことによって形成された遠位縁部４０とを有する。防漏シート２６の両側縁の横方向Ｘの外方には、縦軸Ｐの方向へ延びる複数条のストランド状又はストリング状の第１及び第２弾性要素４１，４２がバリアシート２７の近位縁部３７とバックシート２１の両側部との間にホットメルト接着剤（図示せず）を介して収縮可能に取り付けられている。また、遠位縁部４０には、縦軸Ｐの方向へ延びる２条のストランド状又はストリング状のカフ弾性要素４４が収縮可能に配設されている。遠位縁部４０は、おむつ１０の着用状態において、カフ弾性要素４４の収縮作用によってトップシート２０の肌対向面から離間し、排泄物の横漏れを防止するための一対の防漏カフ４５が形成される。
【００３０】
おむつ本体１４の両側部３０，３１には、第１及び第２弾性要素４１，４２が配設された、少なくとも縦軸Ｐの方向に弾性的に伸縮可能なサイド弾性域４３が形成されている。第１弾性要素４１は、クロッチ域１３の全域において縦軸Ｐの方向へ延びる２本の弾性糸から構成されており、また、第２弾性要素４２は、第１弾性要素４１間に位置してそれらと並行して、かつ、クロッチ域１３の後ウエスト域１２側から横軸Ｑの前ウエスト域１１側まで延びる２本の弾性糸から構成されている。また、サイド弾性域４３は、第１弾性要素４１のみが配設されている他の部位に比して収縮率及び伸長応力の低い低弾性部４６と、第１及び第２弾性要素４１，４２が配置されているそれ以外の部分（高弾性部４７）とに区分されている。
【００３１】
前端部２８のトップシート２０の肌対向面には、第１ファスニング要素１７が係止可能であって、かつ、トップシート２０にエンボス加工を施すことによって形成された第３ファスニング要素４８が設けられている。第３ファスニング要素４８は、縦軸Ｐ及び横軸Ｑに関して斜めに延びる複数本の第１及び第２凹状ライン４９，５０が格子状に交差してなるものであって、第１及び第２凹状ライン４９，５０の形状、大きさ及び互いの交差角度等は、適宜自由に選択することができる。なお、第１ファスニング要素１７との所要の係止強度を有する限りにおいて、第３ファスニング要素４８は、エンボス加工のされていない、この種の物品に通常使用されている、エアスルー不織布、スパンボンド不織布等からなるトップシートの一部によって形成されていてもよい。
【００３２】
かかる構成を有するおむつ１０は、第１ファスニング要素１７と第２ファスニング要素１８とからなる第１ファスニングシステムのほかに、図４に示すように、折曲案内部２４に沿って前ウエスト域１１を外側に向かって折り曲げて、前端部２８の肌対向面に形成された第３ファスニング要素４８に第１ファスニング要素１７を係止することによって、前ウエスト域１１をクロッチ域１３の非肌対向面に折り重ねた状態でおむつ１０を着用させる第２ファスニングシステムとを有する。第２ファスニングシステムによりおむつ１０を着用する場合には、着用者の腹部が露出するので、着用者が未熟児を含む新生児の場合に、前ウエスト域１１による締め付けによってその腹式呼吸が妨げられることはない。特に、新生児の場合にはへそ及びその周辺が十分に成熟しておらず、前ウエスト域１１によるわずかな締め付けによっても刺激を与えるおそれがあるが、かかる事態を避けることができる。
【００３３】
なお、第１ファスニング要素１７と第２ファスニング要素１８とからなる第１ファスニングシステムにおいて、それが所要の剥離強度を有するものであれば、第１ファスニング要素１７をフック群に替えて接着剤を塗布して形成してもよい。この場合には、第１ファスニング要素１７を保護するために、第１ファスニング要素１７の表面をシリコンを塗布したセパレータで被覆してもよい。
【００３４】
テープファスナタブ１５，１６は、例えば、プラスチックフィルム、繊維不織布、それらのラミネートやクラフト紙等の比較的に剛性及び引張強度の高いシート材料から形成することが好ましい。また、本発明の所要の効果を奏する限りにおいて、テープファスナタブ１５，１６を用いることなく、後方側部フラップ３６に設けられた第１ファスニング要素１７を直接第２ファスニング要素１８に脱離可能に係合してもよい。
【００３５】
図５は、折曲案内部２４に沿って前ウエスト域１１をおむつ１０の外側に向かって折り曲げた状態における展開平面図、図６は、第２ファスニングシステムによって、おむつ１０を着用させる際の様子を示す斜視図である。なお、図５では、説明の便宜上、バリアシート２７が取り除かれており、第１及び第２弾性要素４１，４２は実線で示されている。
【００３６】
図５に示すとおり、折曲案内部２４に沿って前ウエスト域１１をおむつ１０の外側に向かって折り曲げた場合において、本発明では、サイド弾性域４３が低弾性部４６と高弾性部４７とに区分されていることによって、着用者の腹部と対向する、折曲案内部２４の略中央部において横軸Ｑの方向へ延びる折曲ライン５２は湾曲形状を有することなく、おむつ１０の横軸Ｑとほぼ並行するように延びている。
【００３７】
すなわち、第１及び第２弾性要素４１，４２は、おむつ１０のレッグ開口縁部を着用者の脚周りにフィットさせるために所要の伸長力を要するところ、サイド弾性域４３全体が均一かつ所与の収縮率を有する場合には、その収縮作用によって、折曲案内部２４近傍のクロッチ域１３における両側部３０，３１が後方へ引っ張られて、折曲ライン５２が湾曲状を呈するおそれがある。かかる場合には、着用者の下腹部と当接する前端縁（折曲ライン５２）が湾曲することによって、着用中に位置ずれを生じやすくなるとともに、両側部３０，３１に皺が生じて該部位から排泄物が漏れ出るおそれがある。
【００３８】
しかしながら、本実施形態の場合には、サイド弾性域４３おいて、折曲案内部２４近傍に収縮率の比較的に低い低弾性部４６が形成されていることによって、折曲案内部２４近傍の領域が第１及び第２弾性要素４１，４２の収縮力によって後方へ引っ張られることはない。したがって、前記のように、折曲ライン５２が湾曲状を呈しておらず、折曲案内部２４に沿って横軸Ｑとほぼ並行に延びているので、装着時において、予め位置合わせをした装着位置がずれることはない。
【００３９】
また、折曲ライン５２が湾曲状を呈する場合には、前記不利益を防止するために、着用時において、着用補助者がその両側を両手で掴んで横軸Ｑの方向に引っ張って伸長させる必要があるが、着用補助者が一人でこのように折曲ライン５２を横軸Ｑの方向に伸長した状態を維持したまま第１ファスニング要素１７を第３ファスニング要素４８に止着するのは容易ではない。
【００４０】
本実施形態では、図６に示すとおり、折曲ライン５２が横軸Ｑとほぼ並行に延びているので、折曲ライン５２を両側から横軸Ｑの方向に引っ張る必要がなく、折曲案内部２４を介して折曲した後に、予め位置決めをした装着位置において、そのまま第１ファスニング要素１７を第３ファスニング要素４８に止着することができる。
【００４１】
本実施形態において、おむつ１０全体の大きさによっても異なるが、前ウエスト域１１の縦方向Ｙの長さ寸法Ｌ２が約６０ｍｍの場合において、低弾性部４６の縦方向Ｙにおける長さ寸法Ｌ３は、同様に、約６０ｍｍであることが好ましい。前ウエスト域１１と低弾性部４６との長さ寸法Ｌ２，Ｌ３がほぼ同じ場合には、折曲状態の前ウエスト域１１に対して、高弾性部４７の伸縮力が作用することなく、互いに前後方向に重ね合わされたそれらの部位が第２弾性部材４２の伸縮力によって後方へ引っ張られるおそれはないからである。また、かかる場合において、高弾性部４７の縦方向Ｙにおける長さ寸法Ｌ４は約１４０ｍｍ、低弾性部４６における吸収性コア２２の両側縁２２ｃ，２２ｄと第１弾性要素４１のうちの最内側に位置する弾性部材５３との横軸Ｑの方向の離間寸法Ｗは、約２５ｍｍであることが好ましい。吸収性コア２２は、おむつ本体１４を形成するシート部材に比して剛性が高い（いわゆる、半剛性）ものであって、弾性要素４１，４２が吸収性コア２２に近接する場合には、その伸縮力が抑えられて、所要の伸縮力を作用することができないおそれがあるからである。
【００４２】
また、第１及び第２弾性要素４１，４２には、この種に物品において使用されている、従来公知のものを適宜選択して使用することができるが、例えば、第１弾性要素４１には、太さが約４５０〜９５０ｄｔｅｘ、好ましくは伸長倍率が約２．２倍の弾性糸、第２弾性要素４２には、太さが約４５０〜９５０ｄｔｅｘ、伸長倍率が約１．９倍の弾性糸によって形成することができる。具体的には、本実施形態において、第１及び第２弾性要素４１，４２として太さが約４７０ｄｔｅｘの弾性糸を用いたときには、低弾性部４６の収縮率は、７０〜７５％であり、高弾性部４７の収縮率は、５０〜６０％である。この場合には、低弾性部４６では、通常使用されるレッグ開口縁部に設ける弾性要素よりもフィット性が低下するが、高弾性部４７では比較的に高い伸長応力を有しており、サイド弾性域４３全体の伸長応力としては、この種のおむつにおいて通常使用されるレッグ開口縁部の伸長応力を有するものであるので、排泄物が横漏れをするおそれはない。
【００４３】
＜低弾性部及び高弾性部の収縮率の測定方法＞
まず、おむつ１０の着用状態（第１及び第２弾性要素４１，４２が収縮した状態）において、低弾性部４６における第１弾性要素４１の最前方端Ｓと、低弾性部４６と高弾性部４７との境界に位置する部位、すなわち、第２弾性要素４２の端部４２ａ近傍に位置する部位Ｔと、高弾性部４７における第１及び第２弾性要素４１，４２の最後方端Ｕとにそれぞれ印を付す。次に、最前方端Ｓと境界に位置する部位Ｔとの間における縦軸Ｐの方向の長さ寸法と、部位Ｔから最後方端Ｕの間における縦軸Ｐの方向の長さ寸法とを測定して、それぞれ、低弾性部４６における収縮時の長さ寸法Ｎ１、高弾性部４７における収縮時の長さ寸法Ｎ２とする。
【００４４】
次に、おむつ１０を展開した状態（第１及び第２弾性要素４１，４２が伸長された状態）において、同様に、最前端Ｓと部位Ｔとの間における縦軸Ｐの長さ寸法と、部位Ｔから最後方端Ｕとの間における縦軸Ｐの方向の長さ寸法とを測定して、それぞれ、低弾性部４６における伸長時の長さ寸法Ｎ３、高弾性部４７における伸長時の長さ寸法Ｎ４とする。これらの測定方法により測定した値を、それぞれ、低弾性部４６の収縮率＝低弾性部４６の収縮時の長さ寸法Ｎ１÷低弾性部４６の伸長時の長さ寸法Ｎ３×１００（％）、高弾性部４７の収縮率＝高弾性部４７の収縮時の長さ寸法Ｎ２÷高弾性部４７の伸長時の長さ寸法Ｎ４×１００（％）の計算式に代入して求め、その値を低弾性部４６及び高弾性部４７の収縮率とした。
【００４５】
＜第２実施形態＞
図７は、本発明の第２実施形態を示す図２と同様の縦断面図である。第２実施形態におけるおむつ１０の基本態様は第１実施形態のそれと同様であるので、相違する点についてのみ以下に説明する。なお、図７では、説明の便宜上、バリアシート２７が取り除かれ、第１弾性要素４１が実線で示されている。
【００４６】
本実施形態では、おむつ本体１４の両側部３０，３１のサイド弾性域４３には、それぞれ、２本の第１弾性要素４１のみが配置されている。また、クロッチ域１３の前ウエスト域１１側における吸収性コア２２の一部が、第１実施形態のそれよりも横軸Ｑの方向に幅広であって、横軸Ｑの方向の外方へ延出する一対の張出部５５が形成されている。吸収性コア２２の張出部５５は、吸収性コア２２における他の部位に比べて高い剛性を有しており、張出部５５と第１弾性要素４１の最内側の弾性要素５３の端部５３ａとの横軸Ｑの方向における離間寸法Ｗ２は約５．０ｍｍである。
【００４７】
このように、クロッチ域１３の両側部３０，３１全域において第１弾性要素４１が配設されて、基本的にはサイド弾性域４３が均一の収縮率及び伸長応力を有する。しかし、吸収性コア２２の張出部５５の近傍領域においては、第１弾性要素４１が該張出部５５に近接し、かつ、張出部５５が比較的に高い剛性を有するので、第１弾性要素４１による収縮力が抑えられて、サイド弾性域４３には他の部位よりも収縮率及び伸長応力の低い低弾性部４６が形成されている。したがって、サイド弾性域４３が低弾性部４６とそれに比較して収縮率及び伸縮応力の高い高弾性部４７とに区分されることから第１実施形態と同様の効果を奏するとともに、吸収性コア２２が張出部５５を有することによって、吸液性コア２２全体の吸収面積が増えてその体液吸収性能が向上する。
【００４８】
＜第３実施形態＞
図８は、本発明の第３実施形態におけるおむつ１０の図２と同様の展開平面図である。第３実施形態におけるおむつ１０の基本態様は第１実施形態のそれと同様であるので、相違する点についてのみ以下に説明する。なお、図８では、説明の便宜上、バリアシート２７が取り除かれ、第１及び第２弾性要素４１，４２が実線で示されている。
【００４９】
本実施形態では、第２実施形態と同様に、おむつ本体１４の両側部３０，３１には、それぞれ、２本の第１弾性要素４１のみが配置されている。このように、第１弾性要素４１が配置されているので、基本的にはサイド弾性域４３は均一の収縮率及び伸長応力を有するものであるが、第１弾性要素４１の一部、すなわち、吸収性コア２２の折曲案内部２４側の部位にエンボス加工を施すことによって、その伸縮性が阻害され、低弾性部４６が形成されている。すなわち、低弾性部４６では、縦方向Ｙに間欠的に配置された複数のエンボス加工部５７においてその伸縮性が阻害されており、低弾性部４６ではエンボス加工部５７間の部位５９にのみ伸縮性が発現している。これにより、おむつ本体１４の両側部３０，３１には、低弾性部４６とそれよりも収縮率及び伸長応力の高い高弾性部４７とが形成されている。なお、本実施形態では、各エンボス加工部５７は、第１弾性要素４１を形成する複数の弾性要素と横軸Ｑの方向において交差するように形成されているが、低弾性部４６全体として所要の収縮率及び伸長応力の低減を実現できる限りにおいて、第１弾性要素４１を形成する弾性要素のうちの最内側の弾性要素５３についてのみエンボス加工を施し、最外側の弾性要素５８にはエンボス加工を施さなくてもよい。この場合には、おむつ１０を第１ファスニングシステムによって着用するときに、低弾性部４６の外側縁が着用者の肌に密着し、該部位に排泄物漏れを誘発するような皺が生じるおそれはない。
【００５０】
＜第４実施形態＞
図９は、本発明の第４実施形態におけるおむつ１０の図２と同様の展開平面図である。第３実施形態におけるおむつ１０の基本構成は、第１実施形態のそれと同様であるので、相違する点についてのみ以下に説明する。なお、図９では、説明の便宜上、バリアシート２７が取り除かれて、第１及び第２弾性要素４１，４２が実線で示されている。
【００５１】
本実施形態では、第２及び第３実施形態と同様に、おむつ本体１４の両側部３０，３１には、それぞれ、２本の第１弾性要素４１のみが配置されている。このように、第１弾性要素４１が配置されているのみであるので、基本的には両側部３０，３１におけるサイド弾性域４３は均一の収縮率及び伸長応力を有するものであるが、第１弾性要素４１の一部、すなわち、吸収性コア２２の折曲案内部２４側の部位に接着剤をコーター塗工により面状に塗布することによって、低弾性部４６が形成されている。具体的には、低弾性部４６には、面状に塗布された接着剤からなる固定部６０が形成されており、該部位における第１弾性要素４１による伸縮性の発現が阻害されている。したがって、サイド弾性域４３は、低弾性部４６とそれによりも収縮率及び伸長応力の高い高弾性部４７とに区分されている。固定部６０の面積等は、低弾性部４６に求められる最低限度の伸長倍率及び伸長応力に応じて適宜設定することができるが、目付量が５．０〜１５．０ｇｍｓであって、その横軸Ｑの方向の長さ寸法Ｗ３は１０〜２０ｍｍであることが好ましい。
【００５２】
＜第５実施形態＞
図１０は、本発明の第５実施形態におけるおむつ１０の斜視図、図１１は、第５実施形態におけるおむつ１０の着用状態を示す斜視図、図１２は、第５実施形態におけるおむつ１０の展開平面図である。第５実施形態におけるおむつ１０の基本的構成は、第１実施形態のそれと同様であるので、相違する点についてのみ以下に説明する。
【００５３】
図１０に示すとおり、本実施形態におけるおむつ１０は、おむつ１０の前ウエスト域１１の外面に、第１ファスニング要素１７が止着される第２ファスニング要素１８と第３ファスニング要素４８とが設けられている。第３ファスニング要素４８は、折曲案内表示部２５を挟んで第２ファスニング要素１８の下方に位置しており、第２ファスニング要素１８と同様の構成を有している。
【００５４】
図１１及び図１２に示すように、本実施形態のおむつ１０の前ウエスト域１１は、折曲案内部２４から上方に位置する上側域１１Ａとその下方に位置する下側域１１Ｂとに区分されており、折曲案内部２４に沿って前ウエスト域１１の上側域１１Ａを下側域１１Ｂの肌対向面に向かって内方へ折曲して、テープファスニグタブ１５，１６の第１ファスニング要素１７を第３ファスニング要素４８に止着することによって、前ウエスト域１１の一部を内側の折り曲げた状態のままおむつ１０を着用することができる。よって、本実施形態においても、図１０に示す、第１ファスニング要素１７と第２ファスニング要素１８とから構成されるおむつ１０の第１ファスニングシステムと、図１１に示す、第１ファスニング要素１７と第３ファスニング要素７０とから構成されたおむつ１０の第２ファスニングシステムとを選択的に使用することができ、おむつ１０のサイズ調整を容易に行うことができる。
【００５５】
このように、前ウエスト域１１の一部を内側に折り返して着用する場合であっても、おむつ１０の両側部３０，３１における折曲案内部２４の近傍領域に、他の部位よりも、すなわち、高弾性部４７よりも収縮率の低い低弾性部４６が形成されているので、折曲ライン５２が湾曲状にならず、第１実施形態と同様の効果を奏することができる。
【００５６】
なお、本発明のおむつ１０は、新生児用に限らず、幼児用の通常のＳ，Ｍ，Ｌサイズ等の複数のサイズ間において容易にサイズを変更することのできる使い捨て着用物品に関するものである。また、おむつ１０を各構成部材には、本明細書に記載されている材料のほかに、この種の分野において通常用いられている、各種の公知の材料を制限なく用いることができる。また、本発明の明細書及び特許請求の範囲において、用語「第１」及び「第２」は、同様の要素、位置などを単に区別するために用いられているものである。
【符号の説明】
【００５７】
１０  使い捨ておむつ（使い捨て着用物品）
１１  前ウエスト域
１２  後ウエスト域
１３  クロッチ域
１４  おむつ本体
１５，１６  テープファスナタブ
１７  第１ファスニング要素
１８  第２ファスニング要素
２４  折曲案内部
４１  第１弾性要素
４２  第２弾性要素
４３  サイド弾性域
４６  低弾性部
４７  高弾性部
４８  第３ファスニング要素
５２  折曲部位
５５  張出部
６０  固定領域
Ｐ  縦軸
Ｑ  横軸
【図１】
0005769398.tif 000002
【図２】
0005769398.tif 000003
【図３】
0005769398.tif 000004
【図４】
0005769398.tif 000005
【図５】
0005769398.tif 000006
【図６】
0005769398.tif 000007
【図７】
0005769398.tif 000008
【図８】
0005769398.tif 000009
【図９】
0005769398.tif 000010
【図１０】
0005769398.tif 000011
【図１１】
0005769398.tif 000012
【図１２】
0005769398.tif 000013